(57)【要約】【課題】  携帯電話機の二軸ヒンジ装置の小型化を図る。【解決手段】  二軸ヒンジ部３の第２の回転軸を形成する回転軸接続部材４１に設けられた第２のシャフト部材４２の孔部、及び回転軸接続部材４１に設けられた孔部連通接続部材４３の孔部４５を介してハーネス９０（或いはフレキシブル基板）を配し、上部筐体１側に設けられた表示部等の電気部品と、下部筐体２側に設けられた制御部や操作部等の電気部品とを相互に電気的に接続する。これより、ハーネスやフレキシブル基板等の電気接続部材を配するためのスペースを二軸ヒンジ部３から省略することができ、該二軸ヒンジ部３の小型化を図ることができる。【選択図】  図２
2009264460.tif 000002
【特許請求の範囲】
【請求項１】
第１の回転軸を形成する第１の回転軸形成部材と、
第１の筐体に固定して設けられるアーム部であり、上記第１の回転軸に沿って回動するように上記第１の回転軸形成部材に設けられる回動アーム部と、
第２の筐体に固定して設けられる回転軸形成部材であり、上記第１の回転軸形成部材を固定して支持し、上記第１の回転軸に対して略直交する方向の回転軸である第２の回転軸を形成する略筒形状の第２の回転軸形成部材と、
上記第２の回転軸形成部材に固定して設けられ、該第２の回転軸形成部材の孔部と連通する孔部を備えた略筒形状の孔部連通接続部材と
を有する二軸ヒンジ装置。
【請求項２】
上記第２の回転軸形成部材は、
当該第２の回転軸形成部材の底面部に設けられ、両端部にそれぞれストッパを備えた渦巻き状の溝部と、
当該第２の回転軸形成部材を上記第２の筐体に固定するための固定部材と、
上記第２の筐体を当該第２の回転軸形成部材で形成される上記第２の回転軸に沿って回動させた際に、上記渦巻き状の溝部に沿って摺動する摺動ピンと、
上記固定部材に設けられた孔部であり、上記摺動ピンを上記渦巻き状の溝部に挿入した状態で支持し、上記第２の筐体を上記第２の回転軸に沿って回動させた際に、上記渦巻き状の溝部の両端部に設けられた各ストッパまでの間を、該渦巻き状の溝部に沿って摺動する上記摺動ピンを、該渦巻き状の溝部の偏心分に応じて移動させる長さを備えた摺動ピン支持用孔部と
を有する請求項１に記載の二軸ヒンジ装置。
【請求項３】
上記孔部連通接続部材は、上記第２の回転軸形成部材に固定されて支持される上記第１の回転軸形成部材の延設方向に対して略反対の方向に、上記第２の回転軸形成部材の孔部を当該孔部連通接続部材の孔部を介して延長するように、上記第２の回転軸形成部材に固定して設けられる
請求項１又は請求項２に記載の二軸ヒンジ装置。
【請求項４】
所定の電気部品を収納する第１の筐体と、
所定の電気部品を収納する第２の筐体と、
第１の回転軸を形成する第１の回転軸形成部材と、上記第１の筐体に固定して設けられるアーム部であり、上記第１の回転軸に沿って回動するように上記第１の回転軸形成部材に設けられる回動アーム部と、上記第２の筐体に固定して設けられる回転軸形成部材であり、上記第１の回転軸形成部材を固定して支持し、上記第１の回転軸に対して略直交する方向の回転軸である第２の回転軸を形成する略筒形状の第２の回転軸形成部材と、上記第２の回転軸形成部材に固定して設けられ、該第２の回転軸形成部材の孔部と連通する孔部を備えた略筒形状の孔部連通接続部材とを備えた二軸ヒンジ部と、
上記第２の回転軸形成部材の孔部、及び上記孔部連通接続部材の孔部を介して配設された、上記第１の筐体、及び上記第２の筐体に設けられている各電気部品を相互に電気的に接続するための電気接続部材と
を有する携帯端末装置。
【請求項５】
上記二軸ヒンジ部の上記第２の回転軸形成部材は、
当該第２の回転軸形成部材の底面部に設けられ、両端部にそれぞれストッパを備えた渦巻き状の溝部と、
当該第２の回転軸形成部材を上記第２の筐体に固定するための固定部材と、
上記第２の筐体を当該第２の回転軸形成部材で形成される上記第２の回転軸に沿って回動させた際に、上記渦巻き状の溝部に沿って摺動する摺動ピンと、
上記固定部材に設けられた孔部であり、上記摺動ピンを上記渦巻き状の溝部に挿入した状態で支持し、上記第２の筐体を上記第２の回転軸に沿って回動させた際に、上記渦巻き状の溝部の両端部に設けられた各ストッパまでの間を、該渦巻き状の溝部に沿って摺動する上記摺動ピンを、該渦巻き状の溝部の偏心分に応じて移動させる長さを備えた摺動ピン支持用孔部と
を有する請求項４に記載の携帯端末装置。
【発明の詳細な説明】
【技術分野】
【０００１】
本発明は、第１の筐体及び第２の筐体をヒンジ部を介して接続してなる携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等に適用して好適な二軸ヒンジ装置、及び携帯端末装置に関する。
特には、略直交するように設けられた第１の回転軸形成部材、及び第２の回転軸形成部材のうち、少なくとも第２の回転軸形成部材を略筒形状とすると共に、この第２の回転軸形成部材に対して、該第２の回転軸形成部材の孔部と連通する孔部を備えた略筒形状の孔部連通接続部材を設けることで、第１の筐体、及び第２の筐体に設けられている各電気部品を相互に電気的に接続するための、ハーネスやフレキシブル基板等の電気接続部材を、第２の回転軸形成部材の孔部及び孔部連通接続部材の孔部を介して配線可能とし、全体的な大きさの小型化等を図った二軸ヒンジ装置、及び携帯端末装置に関する。
【背景技術】
【０００２】
特開２００７−２８１２３９号の公開特許公報（特許文献１）に、フレキシブルプリント基板（ＦＰＣ）の捻りや屈曲に対する耐久性を向上と、装置の小型化を図った折り畳み型携帯端末が開示されている。この折り畳み型携帯端末は、第１のヒンジ軸と第２のヒンジ軸とが連結部材により直交して結合された２軸ヒンジ機構を有している。
【０００３】
この２軸ヒンジ機構は、第２のヒンジ軸に対して平行になる短辺と、この短辺と共に傾斜し、かつ、第２のヒンジ軸を中心として周回される長辺とを有するＦＰＣを配置したＦＰＣ保持構造を有しており、ＦＰＣの長辺の周回部根元側の一部が削除された弾性体からなる保持部材によりＦＰＣの短辺を連結部材に保持している。
【０００４】
このような折り畳み型携帯端末における２軸ヒンジ機構の場合、周回部根元側の一部を削除した弾性体からなる保持部材によりＦＰＣを保持することにより、短辺の長さを長くすることなく、ＦＰＣの保持部根元とＦＰＣの周回部根元の間の距離を長くすることができる。これにより、ＦＰＣの捻れによるＦＰＣの保持部根元での負荷が緩和され、耐久性を向上を図ることが可能となっている。
【０００５】
さらに、保持部材を弾性体とすることで、ＦＰＣに負荷がかかった際に、保持部材が縮むことによりＦＰＣの急激な変形を抑制（捻りの曲げ半径が大きくなる）することができるため、耐久性を向上させることができ、また、ＦＰＣの短辺が捻れることで、ＦＰＣの長辺にかかる周回（巻き）による負荷を軽減するので、周回の巻き半径を大きくすることなく、長辺にかかるに周回（巻き）による負荷を緩和可能となっている。
【０００６】
【特許文献１】特開２００７−２８１２３９号公報（第５頁〜第６頁、図１）
【発明の開示】
【発明が解決しようとする課題】
【０００７】
しかし、このような特許文献１に開示されている折り畳み型携帯端末の二軸ヒンジ機構は、第２のヒンジ軸にＦＰＣを周回して保持する部分（上記ＦＰＣ保持構造）を必要とする。このため、このＦＰＣ保持構造の分、２軸ヒンジ機構自体が大きくなり、当該２軸ヒンジ機構を設けた機器の小型化等に支障を来す問題があった。
【０００８】
なお、ヒンジ装置が大型化すると、該ヒンジ装置が筐体から大きく突出することとなるため、該ヒンジ装置により電波障害が発生する恐れもある。
【０００９】
本発明は、上述の課題に鑑みてなされたものであり、第１の筐体に設けられた電気部品と第２の筐体に設けられた電気部品とを電気的に接続するためのハーネスやフレキシブル基板を配するスペースを省略可能とすることで、このスペースの分、二軸ヒンジ機構の小型化を図り、該二軸ヒンジ機構が大型化することで電波障害等が発生する不都合を防止した二軸ヒンジ装置、及び携帯端末装置の提供を目的とする。
【課題を解決するための手段】
【００１０】
本発明に係る二軸ヒンジ装置は、上述の課題を解決するために、
第１の回転軸を形成する第１の回転軸形成部材と、
第１の筐体に固定して設けられるアーム部であり、上記第１の回転軸に沿って回動するように上記第１の回転軸形成部材に設けられる回動アーム部と、
第２の筐体に固定して設けられる回転軸形成部材であり、上記第１の回転軸形成部材を固定して支持し、上記第１の回転軸に対して略直交する方向の回転軸である第２の回転軸を形成する略筒形状の第２の回転軸形成部材と、
上記第２の回転軸形成部材に固定して設けられ、該第２の回転軸形成部材の孔部と連通する孔部を備えた略筒形状の孔部連通接続部材と
を有する。
【００１１】
このような二軸ヒンジ装置は、略直交するように設けられた第１の回転軸形成部材、及び第２の回転軸形成部材のうち、少なくとも第２の回転軸形成部材を略筒形状とすると共に、この第２の回転軸形成部材に対して、該第２の回転軸形成部材の孔部と連通する孔部を備えた略筒形状の孔部連通接続部材を設ける。
【００１２】
これにより、第１の筐体、及び第２の筐体に設けられている各電気部品を相互に電気的に接続するための、ハーネスやフレキシブル基板等の電気接続部材を、第２の回転軸形成部材の孔部及び孔部連通接続部材の孔部を介して配線可能とし、全体的な大きさの小型化を図る。また、この全体的な大きさの小型化を実現することで、該二軸ヒンジ機構が大型化することで電波障害等が発生する不都合を防止する。
【発明の効果】
【００１３】
本発明は、二軸ヒンジ装置の小型化を図ることができる。また、二軸ヒンジ装置の小型化を図ることができるため、該二軸ヒンジ機構が大型化することで電波障害等が発生する不都合を防止することができる。
【発明を実施するための最良の形態】
【００１４】
本発明は、折り畳み型の携帯電話機に適用することができる。
【００１５】
［携帯電話機の構成］
まず、図１に、この本発明を適用した実施の形態となる携帯電話機の縦開き状態の斜視図を示す。この図１に示すように、この実施の形態となる携帯電話機は、液晶表示部や有機ＥＬ表示部（Organic Electro Luminescence）等の表示部が設けられる上部筐体１と、回転操作キーや数字キー等の操作部が設けられる下部筐体２と、各筐体１，２を、該各筐体１，２の短手方向に沿った回転軸である第１の回転軸に沿って回動可能とすると共に、該各筐体１，２の厚さ方向に沿った回転軸であり、上記第１の回転軸に対して略直交する第２の回転軸に沿って回動可能とする二軸ヒンジ部３とを有している。
【００１６】
［二軸ヒンジ部の構成］
二軸ヒンジ部３は、図２に示すように上部筐体１及び下部筐体２を上記第１の回転軸に沿って回動可能とする第１の回転軸形成部４と、上部筐体１及び下部筐体２を上記第２の回転軸に沿って回動可能とする第２の回転軸形成部５とを有している。
【００１７】
〔第１の回転軸形成部の構成〕
第１の回転軸形成部４は、図３に示す略円柱状の第１のシャフト部材に対して、図２に示すように第１の回動アーム部７、カム部材８、スプリング９、第２の回動アーム部１０、カム部材１１，及びワッシャストッパ１２を順に挿通させることで形成されている。
【００１８】
図３に示す略円柱状の第１のシャフト部材は、一端部近傍にピン止め用孔部１４を有しており、図２及び図４に示すように、このピン止め用孔部１４に対してピン１５を挿通させることで、後述する第２の回転軸形成部５に固定されるようになっている。
【００１９】
また、この第１のシャフト部材は、図３に示すように、第１の回動アーム部７が設けられる第１の回動アーム設置部１６、及び第２の回動アーム部１０が設けられる第２の回動アーム設置部１７を残し、他の部分が、周面状の外周部を平面状に切り欠き加工して形成されている。
【００２０】
第１の回動アーム部７は、図５に示すように第１のシャフト部材が挿通される孔部１９を備えた略円筒形状の回動支持部２０と、この回動支持部２０の外周部から突出するように設けられた長板状のアーム部２１とを有している。この第１の回動アーム部７は、孔部１９に第１のシャフト部材を挿通させることで、該第１のシャフト部材の上記第１の回動アーム設置部１６上に設けられるようになっている。上述のように、第１のシャフト部材の第１の回動アーム設置部１６は周面状となっている。このため、第１の回動アーム部７は、この第１のシャフト部材の周方向に回動可能となっている。
【００２１】
また、この第１の回動アーム部７は、図５に示すように一方の端部に凸部１８を有しており、他方の端部に一対の凹部２２ａ，２２ｂを有している。一方の端部に設けられている凸部１８は、後述する第２の回転軸形成部５に設けられたカム部と係合し、当該携帯電話機を縦開き状態として、上部筐体１と下部筐体２との開成角度を略１６５度程度とした際に、該第２の回転軸形成部５に設けられたストッパ（図１０の符号５０）に当接して、該開成角度を略１６５度程度に規制するようになっている。
【００２２】
また、第１の回動アーム部７の他方の端部に設けられた一対の凹部２２ａ，２２ｂは、図６に示すカム部材８の凸部２３とそれぞれ嵌込するようになっている。カム部材８は、略リング状の円筒形状を有しており、第１のシャフト部材の周面状の外周部を平面状に切り欠き加工された部分に合致した形状を有する孔部２４を有している。そして、この孔部２４に対して第１のシャフト部材が挿通されることで、該第１のシャフト部材に固定されて設けられている。第１の回動アーム部７の他方の端部に設けられた一対の凹部２２ａ，２２ｂのうち、凹部２２ａは、当該携帯電話機の閉成時に、このカム部材８の凸部２３と嵌込し、上記一対の凹部２２ａ，２２ｂのうち、凹部２２ｂは、当該携帯電話機が略１６５度程度閉成された際にカム部材８の凸部２３と嵌込するようになっている。
【００２３】
このカム部材８は、図２に示すようにスプリング９により、第１の回動アーム部７側に付勢されるようになっている。このため、当該携帯電話機を閉状態とした際には、スプリング９により付勢されているカム部材８の凸部２３が、第１の回動アーム部７の凹部２２ａに嵌込し、当該携帯電話機を１６５度程度、縦開き状態とした際には、スプリング９により付勢されているカム部材８の凸部２３が、第１の回動アーム部７の凹部２２ｂに嵌込して、いずれの場合も、いわゆるクリック感が得られるようになっている。
【００２４】
第２の回動アーム部１０は、図７に示すように第１のシャフト部材が挿通される孔部２５を備えた略円筒形状の回動支持部２６と、この回動支持部２６の外周部から突出するように設けられた長板状のアーム部２７とを有している。この第２の回動アーム部１０は、孔部２５に第１のシャフト部材を挿通させることで、該第１のシャフト部材の上記第２の回動アーム設置部１７（図３参照）に設けられるようになっている。上述のように、第１のシャフト部材の第２の回動アーム設置部１７は周面状となっている。このため、第２の回動アーム部１０は、この第１のシャフト部材の周方向に回動可能となっている。
【００２５】
また、この第２の回動アーム部１０は、スプリング９が当接する端部に対して反対側となる端部に、一対の凹部２８ａ，２８ｂを有している。この一対の凹部２８ａ，２８ｂは、図８に示すカム部材１１の凸部２９とそれぞれ嵌込するようになっている。カム部材１１は、略リング状の円筒形状を有しており、第１のシャフト部材の周面状の外周部を平面状に切り欠き加工された部分に合致した形状を有する孔部３０を有している。そして、この孔部３０に対して第１のシャフト部材が挿通されることで、該第１のシャフト部材に固定されて設けられている。第２の回動アーム部１０の反スプリング側の端部に設けられた一対の凹部２８ａ，２８ｂのうち、凹部２８ａは、当該携帯電話機の閉成時に、このカム部材１１の凸部２９と嵌込し、上記一対の凹部２８ａ，２８ｂのうち、凹部２８ｂは、当該携帯電話機の縦開き時において、略１６５度程度閉成された際にカム部材１１の凸部２９と嵌込するようになっている。
【００２６】
このカム部材１１には、図２に示すようにスプリング９により付勢された第２の回動アーム部１０が当接している。このため、当該携帯電話機を閉状態とした際には、スプリング９により付勢されている第２の回動アーム部１０の凹部２８ａにカム部材８の凸部２９が嵌込し、当該携帯電話機を１６５度程度、縦開き状態とした際には、スプリング９により付勢されている第２の回動アーム部１０の凹部２８ｂにカム部材８の凸部２９が嵌込して、いずれの場合も、いわゆるクリック感が得られるようになっている。
【００２７】
ワッシャストッパ１２は、図２に示すように第１のシャフト部材の、第２の回転軸形成部５に接続される端部に対して反対側となる端部に固定して設けられている。このため、スプリング９の付勢力は、第２の回転軸形成部５方向、及び当該ワッシャストッパ１２方向にそれぞれ機能するようになっており、このスプリング９により、カム部材８が第１の回動アーム部７に付勢され、また、第２の回動アーム部１０がカム部材１１に付勢されるようになっている。
【００２８】
そして、第１の回動アーム部７のアーム部２１、及び第２の回動アーム部１０のアーム部２７は、それぞれ図２及び図９に示す長板状の固定プレート３１により、上部筐体１の上ハーフ及び下ハーフ間に挟み込まれるかたちで、該上部筐体１に固定されて設けられている。従って、当該携帯電話機を図１に示すように縦開き操作すると、この縦開き操作に応じて、上部筐体１に固定されている第１の回動アーム部７及び第２の回動アーム部１０が第１の回転軸形成部４の第１の回転軸に沿って（＝第１のシャフト部材６の周方向に沿って）回動することとなる。
【００２９】
〔第２の回転軸形成部の構成〕
第２の回転軸形成部５は、図２に示すように当該第２の回転軸形成部５と上述の第１の回転軸形成部６との接続を図るための回転軸接続部材４１と、この回転軸接続部材４１内に挿入され第２の回転軸を形成する略円筒形状の第２のシャフト部材４２と、回転軸接続部材４１に対して固定して設けられ、該回転軸接続部材４１に挿入された第２のシャフト部材４２の孔部４４と連通する連通孔部５５を備えた孔部連通接続部材４３とを有している。
【００３０】
回転軸接続部材４１は、第１の円筒部材４５と、この第１の円筒部材４５よりも大きな径を有する第２の円筒部材４６を積層して一体形成した形状を有している。第１の円筒部材４５の孔部４７及び第２の円筒部材４６の孔部４８は、それぞれ同軸上に設けられているのであるが、第２の円筒部材４６の孔部４８の径よりも、第１の円筒部材４５の孔部４７の径の方が大きめの径となっている。
【００３１】
第１の円筒部材４５の外周部には、上述の第１の回転軸形成部４の第１のシャフト部材が挿入される第１のシャフト部材挿入孔部４９と、当該携帯電話機を縦開き状態とし、この開成角度が１６５度程度となった際に、第１のシャフト部材に設けられた第１の回動アーム部７の凸部１８と当接することで、当該縦開きの開成角度を１６５度程度に規制するストッパ５０とが設けられている。
【００３２】
第１の円筒部材４５の上面部には、第１のシャフト部材挿入孔部４９と連通するピン挿入用孔部５１が設けられている。第１のシャフト部材挿入孔部４９に第１のシャフト部材６を挿入し、このピン挿入用孔部５１を介してピン１５を挿入すると、図４に示すように、この挿入されたピン１５が、第１のシャフト部材６のピン止め用孔部１４を挿通する。これにより、回転軸接続部材４１に、第１のシャフト部材６が固定されて接続されるようになっている。
【００３３】
また、この第１の円筒部材４５の外周部には、第１のシャフト部材挿入孔部４９の設置位置に対して略々反対側となる位置に、孔部連通接続部材４３を接続するための孔部連通接続部材用孔部５２が設けられている。孔部連通接続部材４３は、図１１に示すように円筒形状の連通孔部材５３と、接続片部材５４とを、全体の外観が略Ｔ字形状となるように接続して形成されている。この孔部連通接続部材４３は、接続片部材５４から連通孔部材５３にかけて連通する連通孔部５５を有している。また、この孔部連通接続部材４３の接続片部材５４には、一対のピン挿入用孔部５６，５７を有している。
【００３４】
図１０に示す回転軸接続部材４１の孔部連通接続部材用孔部５２に対して、孔部連通接続部材４３の接続片部材５４を挿入し、回転軸接続部材４１のピン挿入用孔部５９，６０を介してピンを挿入すると、図４に示すようにこのピン挿入用孔部５９，６０を介して挿入された各ピン６１，６２が、孔部連通接続部材４３の接続片部材５４に設けられている一対のピン挿入用孔部５６，５７にそれぞれ挿通する。これにより、回転軸接続部材４１に孔部連通接続部材４３が固定されて接続されるようになっている。
【００３５】
図１２に、回転軸接続部材４１を底面部側から見た状態の斜視図を示す。この図１２からわかるように、回転軸接続部材４１を底面部側には、図４に示す第２のシャフト部材４２、カム部材６３及びスプリング６４が挿入される孔部６５が設けられると共に、この孔部６５を旋回するかたちで渦巻き状（スパイラル状）の溝部６６が設けられている。この溝部６６は、孔部６５を略１周、旋回するかたちで設けられており、当該溝部６６の両端部は、それぞれ壁状のストッパ６７，６８となっている。
【００３６】
この回転軸接続部材４１の孔部６５に挿入されるカム部材６３は、図１３に示すように該孔部６５の径よりも若干小さめの径を有するリング状の円筒形状を有している。このカム部材６３の孔部６９は、その外周部が多角形状となるように切り欠き加工されている。図１４は、第２のシャフト部材４２の斜視図であるが、この第２のシャフト部材４２の外周部７０は、カム部材６３の孔部６９に施されている多角形状の切り欠き加工に対応する切り欠き加工が施されている。このため、第２のシャフト部材４２をカム部材６３の孔部６９に挿入すると、カム部材６３が第２のシャフト部材４２に固定された状態で設けられるようになっている。
【００３７】
また、図１３に示すように、カム部材６３には、それぞれ十字状に配された４つの凹部７１が設けられている。このカム部材６３の各凹部７１は、図１２に示す回転軸接続部材４１に設けられた４つの凸部７２とそれぞれ嵌込するようになっている。
【００３８】
このような第２の回転軸形成部５を筐体に接続する場合、まず、図１０に示す回転軸接続部材４１の上面部側から、第１の円筒部材４５の孔部４７及び第２の円筒部材４６の孔部４８をそれぞれ介して図１４に示す第２のシャフト部材４２を挿入する。次に、この状態で、図１２に示す回転軸接続部材４１の底面部側に設けられた孔部６５に、図１３に示すカム部材６３を挿入し、回転軸接続部材４１に設けられた第２のシャフト部材４２が、カム部材６３の孔部６９を挿通し、かつ、カム部材６３の各凹部７１と、回転軸接続部材４１の各凸部７２とがそれぞれ嵌込した状態とする。
【００３９】
そして、この状態で、回転軸接続部材４１の孔部６５に、図４に示すスプリング６４を挿入し、このスプリング６４の上から図１５に示す固定プレート７５を載置し、この固定プレート７５を下部筐体２にネジ７６によりネジ止めする。これにより、第２の回転軸形成部５が下部筐体２に固定して接続される。
【００４０】
〔渦巻き状の溝部の偏心分の吸収構成〕
ここで、固定プレート７５は、図１６に示すように第２のシャフト部材４２が挿入されるシャフト部材用孔部７７、及び当該固定プレート７５を下部筐体２にネジ止めするための一対のネジ孔７８の他、回転軸接続部材４１の底面部側に設けられた渦巻き状の溝部６６に沿って摺動する摺動ピン（図１５の符号７９）を挿入するための摺動ピン用孔部８０を有している。
【００４１】
摺動ピン７９は、図１７に示すように略円板形状の円板部材８１の一方の平面部に、同軸となるように円柱部材８２を接続した、言わばボルト形状を有している。そして、円柱部材８２の長手方向の略中間位置に、楕円形状の楕円板部材８３を設けて形成されている。この摺動ピン７９は、図１５に示すように固定プレート７５を介して回転軸接続部材４１に設けられた際に、当該摺動ピン７９の楕円板部材８３が、図１８に示すように回転軸接続部材４１の渦巻き状の溝部６６に沿って摺動するようになっている。
【００４２】
ただ、回転軸接続部材４１の溝部６６は渦巻き状であるため、図１９に示すように偏心していることとなる。このため、この渦巻き状の溝部６６に沿って摺動ピン７９の楕円板部材８３を摺動させる場合、渦巻き状の溝部６６の上記偏心に応じて摺動ピン７９の位置を移動させる必要がある。このようなことから、固定プレート７５の摺動ピン用孔部８０は、渦巻き状の溝部６６に沿って摺動ピン７９が摺動することで該摺動ピン７９の位置の変化を吸収可能な長さに加工されている（＝上記偏心分を吸収可能な長さに加工されている。）。これにより、各筐体１，２が、第２の回転軸形成部５で形成される第２の回転軸に沿って回転操作された場合でも、該各筐体１，２のスムーズな回転操作が可能となっている。
【００４３】
〔孔部を介した配線構成〕
次に、この二軸ヒンジ部３の場合、図２に示したように回転軸接続部材４１に設けられた孔部連通接続部材４３の孔部４５は、回転軸接続部材４１に設けられた第２のシャフト部材４２の孔部と連通している。
【００４４】
図２０は、二軸ヒンジ部３を、当該携帯電話機の長手方向に沿って切断した状態の断面図であるが、この図２０からわかるように、当該携帯電話機の場合、回転軸接続部材４１に設けられた第２のシャフト部材４２の孔部、及び回転軸接続部材４１に設けられた孔部連通接続部材４３の孔部４５を介してハーネス９０（或いはフレキシブル基板）を配することにより、上部筐体１側に設けられた表示部等の電気部品と、下部筐体２側に設けられた制御部や操作部等の電気部品とを相互に電気的に接続している。これより、ハーネスやフレキシブル基板等の電気接続部材を配するためのスペースを二軸ヒンジ部３から省略することを可能とし、該二軸ヒンジ部３の小型化を図っている。
【００４５】
［携帯電話機の開閉動作］
次に、このような二軸ヒンジ部３に基づく当該実施の形態の携帯電話機の開閉動作を説明する。
【００４６】
〔第１の回転軸に基づく開閉動作〕
まず、当該携帯電話機を、上部筐体１及び下部筐体２が略々重なり合っている状態である閉状態から、図１に示す縦開き状態とする際の二軸ヒンジ部３の動作を説明する。この場合、ユーザは、例えば上部筐体１を右手で把持すると共に、下部筐体２を左手で把持し、右手を押し上げるようなかたちで上部筐体１に力を加える。
【００４７】
図２を用いて説明したように、第１のシャフト部材６に設けられている第１の回転アーム部７のアーム部２１、及び第２の回転アーム部１０のアーム部２７は、それぞれ固定プレート３１と上部筐体１との間に挟み込まれている。このため、この場合、各筐体１，２は、第１の回転軸に沿って回動し（＝第１のシャフト部材６の周方向に沿って回動し）、当該携帯電話機が図１に示す縦開き状態となる。
【００４８】
ここで、図５に示した第１の回転アーム部７の凸部１８は、当該携帯電話機が閉状態の際に、図１０に示した回転軸接続部材４１のストッパ５０に当接しているのであるが、各筐体１，２がユーザにより縦開き操作されると、該第１の回転アーム部７の凸部１８は、回転軸接続部材４１のストッパ５０から一旦離接し、該各筐体１，２の開成角度が例えば１６５度程度となった際に、再度、第１の回転アーム部７の凸部１８が回転軸接続部材４１のストッパ５０に当接する。これにより、各筐体１，２の縦開き時の開成角度を、上記１６５度程度に規制することができ、ユーザの無理な縦開き操作で当該携帯電話機が破損する不都合を防止することができる。
【００４９】
また、当該携帯電話機が閉状態時には、図８に示したカム部材１１の凸部２９が、図７に示した第２の回転アーム部１０の凹部２８ａに嵌込しているのであるが、各筐体１，２がユーザにより縦開き操作されると、このカム部材１１の凸部２９と第２の回転アーム部１０の凹部２８ａとの嵌込が一旦解除され、該各筐体１，２の開成角度が例えば１６５度程度となった際に、カム部材１１の凸部２９が第２の回転アーム部１０の凹部２８ｂに嵌込する。
【００５０】
上述のように、第２の回転アーム部１０は、スプリング９により、カム部材１１方向に付勢されている。このため、該各筐体１，２の開成角度が例えば１６５度程度となり、カム部材１１の凸部２９が第２の回転アーム部１０の凹部２８ｂに嵌込した際に、「カチッ」という、いわゆるクリック音が発生する。このクリック音により、ユーザは、当該携帯電話機が縦開き状態となったことを認識することとなる。
【００５１】
なお、当該携帯電話機を、この縦開き状態から閉状態に戻すように各筐体１，２を回動操作した場合、縦開き状態時において嵌込しているカム部材１１の凸部２９と第２の回転アーム部１０の凹部２８ｂとの嵌込が解除され、当該携帯電話機が閉状態となった際に、カム部材１１の凸部２９と第２の回転アーム部１０の凹部２８ａとが嵌込する。この場合も上記クリック音が発生することとなり、このクリック音により、ユーザは、当該携帯電話機が閉状態となったことを認識することとなる。
【００５２】
〔第２の回転軸に基づく開閉動作〕
次に、当該携帯電話機を、上部筐体１及び下部筐体２が略々重なり合っている状態である閉状態において、上部筐体１に対して時計回り方向、或いは反時計回り方向の力を加えると、図２に示すように、この上部筐体１にそれぞれ固定された第１の回転アーム部７のアーム部２１、及び第２の回転アーム部１０のアーム部２７を介して、この時計回り方向、或いは反時計回り方向の力が第１のシャフト部材６に伝達される。これにより、この第１のシャフト部材６が力点となって回転軸接続部材４１が該時計回り方向、或いは反時計回り方向に回転駆動され、図２１に示すように上部筐体１が、第２のシャフト部材４２を回転軸として上記時計回り方向、或いは反時計回り方向に回転する。
【００５３】
ここで、当該携帯電話機が閉状態時においては、摺動ピン７９は、図１８に示すように回転軸接続部材４１の底面部側に設けられた渦巻き状の溝部６６の略中間に位置している。この状態で、ユーザにより上部筐体１が時計回り方向に回転操作されると、上部筐体１と下部筐体２との間の回転角度が例えば略１８０度程度となった際に（上部筐体１と下部筐体２が図１に示す縦開き状態となった際に）、摺動ピン７９が渦巻き状の溝部６６の一方のストッパ６７に当接し、この時計回り方向の回転操作が、上記略１８０度の回転角度で規制される。
【００５４】
同様に、当該携帯電話機が閉状態時において、ユーザにより上部筐体１が反時計回り方向に回転操作されると、上部筐体１と下部筐体２との間の回転角度が例えば略１８０度程度となった際に（上部筐体１と下部筐体２が図１に示す縦開き状態となった際に）、摺動ピン７９が渦巻き状の溝部６６の他方のストッパ６８に当接し、この反時計回り方向の回転操作が、上記略１８０度の回転角度で規制される。
【００５５】
なお、摺動ピン７９を固定している固定プレート７５の摺動ピン用孔部８０は、渦巻き状の溝部６６に沿って摺動ピン７９が摺動することで、該摺動ピン７９の位置の変化を吸収可能な長さに加工されている。このため、上部筐体１を時計回り方向、或いは反時計回り方向に回転操作した場合に、摺動ピン７９が溝部６６に沿ってスムーズに摺動し、上記各回転操作がスムーズに実行可能であることは上述のとおりである。
【００５６】
当該実施の形態の携帯電話機は、このように第２の回転軸に沿った各筐体１，２の回転操作が可能であり、ユーザは所望の回転角度で、この第２の回転軸に沿った回転操作を停止して、例えばテレビジョン放送の視聴や、表示部に表示された文字や画像（静止画像、動画像）等を見ることが可能となる。
【００５７】
一方、以上の説明は、当該携帯電話機を、上部筐体１及び下部筐体２が略々重なり合っている状態である閉状態から、上部筐体１を時計回り方向、或いは反時計回り方向に回転操作した場合の説明であったが、当該携帯電話機の場合、図１に示す縦開き状態から上部筐体１を時計回り方向、或いは反時計回り方向に回転操作して、当該携帯電話機を閉状態とすることも可能となっている。
【００５８】
すなわち、通常、携帯電話機の閉状態とは、図２２に示すように上部筐体１に設けられている表示部と下部筐体２に設けられている操作部とが相対向する状態を言うのであるが、当該実施の形態の携帯電話機の場合、上部筐体１に設けられている表示部と下部筐体２に設けられている操作部とが同方向を向いた状態で当該携帯電話機を閉状態とすることが可能となっている。
【００５９】
この場合、まず、上部筐体１に設けられている表示部と下部筐体２に設けられている操作部とが相対向する閉状態から、上述の縦開き操作を行うことで、当該携帯電話機を図１に示す縦開き状態とする。
【００６０】
次に、この縦開き状態から、上部筐体１を時計回り方向、或いは反時計回り方向に回転操作すると、図２３に示すように該上部筐体１が第２の回転軸に沿って回転し、図２４に示すように表示部９５が表面を向いた状態で、当該携帯電話機が閉状態となる（＝表示部９５が下部筐体２に設けられている操作部と同方向を向いた状態で、当該携帯電話機が閉状態となる。）。
【００６１】
これにより、ユーザは表示部９５を表面とし、かつ、当該携帯電話機を閉状態の小型としたうえで、例えばテレビジョン放送の視聴や、表示部に表示された文字や画像（静止画像、動画像）等を見ることが可能となる。
【００６２】
［実施の形態の効果］
以上の説明から明らかなように、この実施の形態の携帯電話機は、二軸ヒンジ部３の回転軸接続部材４１に設けられた第２のシャフト部材４２の孔部、及び回転軸接続部材４１に設けられた孔部連通接続部材４３の孔部４５を介してハーネス９０（或いはフレキシブル基板）を配し、上部筐体１側に設けられた表示部等の電気部品と、下部筐体２側に設けられた制御部や操作部等の電気部品とを相互に電気的に接続している。これより、ハーネスやフレキシブル基板等の電気接続部材を配するためのスペースを二軸ヒンジ部３から省略することができ、該二軸ヒンジ部３の小型化を図ることができる。
【００６３】
また、このように二軸ヒンジ部３の小型化を図ることができるため、筐体からヒンジ部が大きく突出し、該突出したヒンジ部により電波障害が発生する不都合を防止することができる。
【００６４】
［変形例］
上述の実施の形態の説明では、本発明を携帯電話機に適用することとしたが、本発明を、ＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の他の機器に適用してもよい。いずれの場合も上述と同様の効果を得ることができる。
【００６５】
最後に、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００６６】
【図１】本発明を適用した実施の形態となる携帯電話機の縦開き状態時の斜視図である。
【図２】実施の形態となる携帯電話機に設けられている二軸ヒンジ部の斜視図である。
【図３】二軸ヒンジ部に設けられている第１のシャフト部材の斜視図である。
【図４】二軸ヒンジ部の要部の斜視図である。
【図５】二軸ヒンジ部の第１のシャフト部材に設けられる第１の回転アーム部の斜視図である。
【図６】第１の回転アーム部に嵌込するカム部材の斜視図である。
【図７】二軸ヒンジ部の第１のシャフト部材に設けられる第２の回転アーム部の斜視図である。
【図８】第２の回転アーム部に嵌込するカム部材の斜視図である。
【図９】二軸ヒンジ部の第１及び第２の回転アーム部を上部筐体に固定するための固定プレートの斜視図である。
【図１０】二軸ヒンジ部の第１のシャフト部材と第２のシャフト部材とを接続する回転軸接続部材の斜視図である。
【図１１】回転軸接続部材に接続される孔部連通接続部材の斜視図である。
【図１２】回転軸接続部材を底面部側から見た斜視図である。
【図１３】回転軸接続部材に設けられるカム部材の斜視図である。
【図１４】回転軸接続部材に挿入される第２のシャフト部材の斜視図である。
【図１５】二軸ヒンジ部が固定プレートを介して下部筐体に固定されている様子を示す斜視図である。
【図１６】固定プレートの斜視図である。
【図１７】回転軸接続部材の底面部側に設けられた渦巻き状の溝部に沿って摺動する摺動ピンの斜視図である。
【図１８】当該携帯電話機の閉状態時における、渦巻き状の溝部上の摺動ピンの位置を示す斜視図である。
【図１９】回転軸接続部材の底面部側に設けられた渦巻き状の溝部による偏心と、固定プレートに設けられた摺動ピン用孔部との関係を説明するための図である。
【図２０】内部にハーネスが配された状態の二軸ヒンジ部の断面図である。
【図２１】二軸ヒンジ部の第２の回転軸に沿った回転操作を説明するための斜視図である。
【図２２】実施の形態の携帯電話機の閉状態時の斜視図である。
【図２３】実施の形態の携帯電話機において、縦開き状態から第２の回転軸に沿った回転操作を行った場合の斜視図である。
【図２４】縦開き状態から第２の回転軸に沿った回転操作を行うことで、表示部を表面とした状態で閉状態とした実施の形態の携帯電話機の斜視図である。
【符号の説明】
【００６７】
１  上部筐体、２  下部筐体、３  二軸ヒンジ部、４  第１の回転軸形成部、５  第２の回転軸形成部、６  第１のシャフト部材、７  第１の回動アーム、８  カム部材、９  スプリング、１０  第２の回動アーム、１１  カム部材、１２  ワッシャストッパ、１４  ピン止め用孔部、１５  ピン、１６  第１の回動アーム設置部、１７  第２の回動アーム設置部、１８  凸部、１９  孔部、２０  回動支持部、２１  アーム部、２２ａ  凹部、２２ｂ  凹部、２３  凸部、２４  孔部、２５  孔部、２６  回動支持部、２７  アーム部、２８ａ  凹部、２８ｂ  凹部、２９  凸部、３０  孔部、３１  固定プレート、４１  回転軸接続部材、４２  第２のシャフト部材、４３  孔部連通接続部材、４５  第１の円筒部材、４６  第２の円筒部材、４７  第１の円筒部材の孔部、４８  第２の円筒部材の孔部、４９  第１のシャフト部材挿入孔部、５０  ストッパ、５１  ピン挿入用孔部、５２  孔部連通接続部材用孔部、５３  連通孔部材、５４  接続片部材、５５  連通孔部、５６  ピン挿入用孔部、５７  ピン挿入用孔部、５９  ピン挿入用孔部、６０  ピン挿入用孔部、６１  ピン、６２  ピン、６３  カム部材、６４  スプリング、６５  孔部、６６  渦巻き状の溝部、６７  溝部の一方のストッパ、６８  溝部の他方のストッパ、６９  孔部、７０  第２のシャフト部材の外周部、７１  凹部、７２  凸部、７５  固定プレート、７６  ネジ、７７  シャフト部材用孔部、７８  ネジ孔、７９  摺動ピン、８０  摺動ピン用孔部、８１  円板部材、８２  円柱部材、８３  楕円板部材、９０  ハーネス、９５  表示部
【図１】
2009264460.tif 000003
【図２】
2009264460.tif 000004
【図３】
2009264460.tif 000005
【図４】
2009264460.tif 000006
【図５】
2009264460.tif 000007
【図６】
2009264460.tif 000008
【図７】
2009264460.tif 000009
【図８】
2009264460.tif 000010
【図９】
2009264460.tif 000011
【図１０】
2009264460.tif 000012
【図１１】
2009264460.tif 000013
【図１２】
2009264460.tif 000014
【図１３】
2009264460.tif 000015
【図１４】
2009264460.tif 000016
【図１５】
2009264460.tif 000017
【図１６】
2009264460.tif 000018
【図１７】
2009264460.tif 000019
【図１８】
2009264460.tif 000020
【図１９】
2009264460.tif 000021
【図２０】
2009264460.tif 000022
【図２１】
2009264460.tif 000023
【図２２】
2009264460.tif 000024
【図２３】
2009264460.tif 000025
【図２４】
2009264460.tif 000026